(57)【特許請求の範囲】
【請求項１】
双胴船の両側の船体間に水中翼の支持軸を連結して架設して水中翼を所要の傾斜角度に傾転可能に配設するとともに、双胴船の両側の船体の船尾部にトリムタブを配設してそれぞれ所要のトリム角度に傾転自在に形成し、
双胴船にジャイロセンサを配設してジャイロセンサの姿勢制御装置の出力をピッチング角速度ω１とし、この数値積分をピッチング角θ１とし、水中翼の制御角度Ｐ(t) として、Ｐ(t)=Ａ・θ１(t) ＋Ｂ・ω１(t) ＋Ｃ  として減揺制御し、
ローリング角速度ω２とし、この数値積分をローリング角θ２とし、トリムタブの制御角度Ｔ(t) として、Ｔ(t)=Ｄ・θ２(t) ＋Ｅ・ω２(t) ＋Ｆ  として減揺制御して、
ここに、Ａ〜Ｆは定数で、モデル実験、実機の航行時の測定、荒天時での測定を行なって定め、Ｃ、Ｆは走航中の航体トリムを定める値で、静水時の実験での走航抵抗によりトリム角を定めるもので、
高速、減揺走航するようにしたことを特徴とする抵抗低減、安定性向上の双胴船の減揺走航方法。
【請求項２】
双胴船の水中翼を−１０〜１０度に傾転自在のピッチング角、両側の船体の船尾部のトリムタブを−５〜２０度に傾転自在として、波長３〜６ｍに対して双胴船のピッチングに対して水中翼を所要のピッチング角に制御し、双胴船のローリングに対して船尾部のトリムタブを所要のトリム角度として減揺制御して走航することを特徴とする請求項１に記載の抵抗低減、安定性向上の双胴船の減揺走航方法。
【請求項３】
各種の波の状態で制御パラメータを設定して、これらのパラメータにもとづいてＣＰＵでジャイロセンサの姿勢制御装置のデータから瞬時に判断して所要のパラメータに切り換えて、走航抵抗が最小になるようにジャイロセンサの姿勢制御装置を介して、Ｐ(t)=Ｆ（θ１(t) 、ω１(t) ）、Ｔ(t)=Ｆ（θ２(t) 、ω２(t) ）としてファジー制御して双胴船を所要の減揺航行を行なって、波の状態に応じて走航抵抗が最小になるようにピッチングに対してピッチング角を減少させるように水中翼を傾転制御するとともに、船尾部のトリムタブのトリム角度を加減制御して減揺することを特徴とする請求項１または２に記載の抵抗低減、安定性向上の双胴船の減揺走航方法。
【請求項４】
双胴船の両側の船体のキール間に水中翼を支持軸を連結して架設したことを特徴とする請求項１ないし３のいずれかに記載の抵抗低減、安定性向上の双胴船の減揺走航方法。
【請求項５】
双胴船の両側の船体の船尾部のトリムタブを空洞状態に形成したことを特徴とする請求項１ないし４のいずれかに記載の抵抗低減、安定性向上の双胴船の減揺走航方法。
【発明の詳細な説明】
【技術分野】
【０００１】
本発明は、旅客船、漁船、観光船等の船舶分野における抵抗低減、安定性向上の双胴船の減揺走航方法に関するものである。
【背景技術】
【０００２】
双胴船は、安定した航行ができることで知られ、さらに水中翼を装着して高速航行がはかられることが知られている。
そしてまた、特開平６−２６３０８２号公報や特開平９−２７２４８８号公報のように水中翼の両側部にフラップ状の補助翼を設けて、ピッチングやローリングの低減をはかって減揺航行することが提案されている。
【０００３】
しかし、上記のように水中翼や補助翼を設けてピッチングやローリングの低減をはかって減揺航行することができるものの、特にピッチングの制御では水中翼の両側部のフラップ状の補助翼を揺動制御しているもので、ピッチングの制御が十分でなかった。
また、従来、一般的に減揺装置は、走航抵抗の増加を招くと考えられていて、水中翼を装着すると走航抵抗となって燃料経済性に劣るものであった。
【０００４】
そのため、出願人らは、特開２０１１−２５１５９６号公報のように双胴船の船尾部間のトンネル状の全幅にわたって水中翼を揺動制御自在に配設して、船尾部を最大の揚力で上下させて、ピッチング制御を行って双胴船の走航抵抗を減少することができ、燃費の向上をはかることを提案している。
【先行技術文献】
【特許文献】
【０００５】
【特許文献１】特開平６−２６３０８２号公報
【特許文献２】特開平９−２７２４８８号公報
【特許文献３】特開２０１１−２５１５９６号公報
【発明の概要】
【発明が解決しようとする課題】
【０００６】
しかし、双胴船の船尾部に水中翼を設けてピッチング制御を行なえるものの、双胴船の走航抵抗の低減が十分でなく、高速走航ができて燃費効率のよい双胴船を開発することが課題であった。
【課題を解決するための手段】
【０００７】
本発明は、上記のような点に鑑みたもので、上記の課題を解決するために、双胴船の両側の船体間に水中翼の支持軸を連結して架設して水中翼を所要の傾斜角度に傾転可能に配設するとともに、双胴船の両側の船体の船尾部にトリムタブを配設してそれぞれ所要のトリム角度に傾転自在に形成し、双胴船にジャイロセンサを配設してジャイロセンサの姿勢制御装置の出力をピッチング角速度ω１とし、この数値積分をピッチング角θ１とし、水中翼の制御角度Ｐ(t) として、Ｐ(t)=Ａ・θ１(t) ＋Ｂ・ω１(t) ＋Ｃ  として減揺制御し、ローリング角速度ω２とし、この数値積分をローリング角θ２とし、トリムタブの制御角度Ｔ(t) として、Ｔ(t)=Ｄ・θ２(t) ＋Ｅ・ω２(t) ＋Ｆ  として減揺制御して、ここに、Ａ〜Ｆは定数で、モデル実験、実機の航行時の測定、荒天時での測定を行なって定め、Ｃ、Ｆは走航中の航体トリムを定める値で、静水時の実験での走航抵抗によりトリム角を定めるもので、高速、減揺走航するようにしたことを特徴とする抵抗低減、安定性向上の双胴船の減揺走航方法を提供するにある。
【０００８】
また、双胴船の水中翼を−１０〜１０度に傾転自在のピッチング角、両側の船体の船尾部のトリムタブを−５〜２０度に傾転自在として、波長３〜６ｍに対して双胴船のピッチングに対して水中翼を所要のピッチング角に制御し、双胴船のローリングに対して船尾部のトリムタブを所要のトリム角度として減揺制御して走航することを特徴とする抵抗低減、安定性向上の双胴船の減揺走航方法を提供するにある。
【０００９】
さらに、各種の波の状態で制御パラメータを設定して、これらのパラメータにもとづいてＣＰＵでジャイロセンサの姿勢制御装置のデータから瞬時に判断して所要のパラメータに切り換えて、走航抵抗が最小になるようにジャイロセンサの姿勢制御装置を介して、Ｐ(t)=Ｆ（θ１(t) 、ω１(t) ）、Ｔ(t)=Ｆ（θ２(t) 、ω２(t) ）としてファジー制御して揺動制御して双胴船を所要の減揺航行を行なって、波の状態に応じて走航抵抗が最小になるようにピッチングに対してピッチング角を減少させるようにジャイロセンサによって水中翼を傾転制御するとともに、船尾部のトリムタブのトリム角度を加減制御して減揺することを特徴とする抵抗低減、安定性向上の双胴船の減揺走航方法を提供するにある。
【００１０】
さらに、双胴船の両側の船体のキール間に水中翼を支持軸を連結して架設したことを特徴とする抵抗低減、安定性向上の双胴船の減揺走航方法を提供するにある。
【００１１】
またさらに、双胴船の両側の船体の船尾部のトリムタブを空洞状態に形成したことを特徴とする抵抗低減、安定性向上の双胴船の減揺走航方法を提供するにある。
【発明の効果】
【００１２】
本発明の抵抗低減、安定性向上の双胴船の減揺走航方法は、双胴船の両側の船体間に水中翼の支持軸を連結して架設して水中翼を所要の傾斜角度に傾転可能に配設するとともに、双胴船の両側の船体の船尾部にトリムタブを配設してそれぞれ所要のトリム角度に傾転自在に形成し、双胴船にジャイロセンサを配設してジャイロセンサの姿勢制御装置の出力をピッチング角速度ω１とし、この数値積分をピッチング角θ１とし、水中翼の制御角度Ｐ(t) として、Ｐ(t)=Ａ・θ１(t) ＋Ｂ・ω１(t) ＋Ｃ  として減揺制御し、ローリング角速度ω２とし、この数値積分をローリング角θ２とし、トリムタブの制御角度Ｔ(t) として、Ｔ(t)=Ｄ・θ２(t) ＋Ｅ・ω２(t) ＋Ｆ  として減揺制御して、ここに、Ａ〜Ｆは定数で、モデル実験、実機の航行時の測定、荒天時での測定を行なって定め、Ｃ、Ｆは走航中の航体トリムを定める値で、静水時の実験での走航抵抗によりトリム角を定めるもので、高速、減揺走航するようにしたことによって、双胴船を両側の船体間に支持軸を連結して架設した水中翼を波の状態に応じて走航抵抗が最小にピッチングに対してピッチング角を減少させるようにジャイロセンサによって水中翼を傾転制御するとともに、船尾部のトリムタブのトリム角度を加減制御して減揺し、双胴船の高速走航による燃費の向上、乗り心地の向上をはかれる。
たとえば、走航時、向い波の場合は船首を下げ、追い波の場合は船首を上げ、さらに波が高い場合は加速度センサ等の姿勢制御装置にもとづいて水中翼の傾転角度を高めにするなどとし、波高や向い波、追い波等の波の状態に応じて、走航抵抗が最小になるように姿勢制御し、また実機の航行時の測定、荒天時での測定試験にもとづいて、走航中の航体トリム値、静水時の走航抵抗が最中になるトリム角で、走航抵抗が最小になるように前方の水中翼と船尾部の両側のトリムタブをバランスよく配設して、ピッチング、ローリングの減揺制御して航行するようにでき、乗り心地のよい、燃費を向上できる高速の双胴船を実現することができる。
このように本発明の双胴船では、前方の船首部の水中翼を所定の傾斜角度として、従来と比較してほぼ１０〜２０％の高速化がピッチング制御とともに可能になり、また船尾部の両側に左右対称状に配設したトリムタブによる浮力、揚力の向上および、トリム角度の傾転制御のローリング制御で、船体の走航トリムを抵抗が少ない状態に制御でき、走航抵抗を減少できて、乗り心地のよい燃費を向上できる高速の双胴船を実現することができるものである。
【００１３】
そして、双胴船の水中翼を−１０〜１０度に傾転自在のピッチング角、両側の船体の船尾部のトリムタブを−５〜２０度に傾転自在として、波長３〜６ｍに対して双胴船のピッチングに対して水中翼を所要のピッチング角に制御し、双胴船のローリングに対して船尾部のトリムタブを所要のトリム角度として減揺制御して走航することによって、波長３〜６ｍに対して水中翼、トリムタブをそれぞれ所要のピッチング角、トリム角度として双胴船の船体の走行姿勢を制御し、走航抵抗の低減して燃料費の低減と高速化を同時に達成することができる。
【００１４】
さらに、各種の波の状態で制御パラメータを設定して、これらのパラメータにもとづいてＣＰＵでジャイロセンサの姿勢制御装置のデータから瞬時に判断して所要のパラメータに切り換えて、走航抵抗が最小になるようにジャイロセンサの姿勢制御装置を介して、Ｐ(t)=Ｆ（θ１(t) 、ω１(t) ）、Ｔ(t)=Ｆ（θ２(t) 、ω２(t) ）としてファジー制御して双胴船を所要の減揺航行を行なって、波の状態に応じて走航抵抗が最小になるようにピッチングに対してピッチング角を減少させるように水中翼を傾転制御するとともに、船尾部のトリムタブのトリム角度を加減制御して減揺することによって、各種の波の状態に対応できて、各種のデータから瞬時に判断して所要のパラメータに切り換えて、走航抵抗が最小になるようにジャイロセンサの姿勢制御装置を介して揺動制御して双胴船を所要の減揺航行を行なうようにできる。
【００１５】
さらに、双胴船の両側の船体のキール間に水中翼を支持軸を連結して架設したことによって、水中翼およびそのストラットが船体横断面のおいて船体強度を増加させ、船体のねじれを抑え、船体のクラックの発生を低減するようにできる。
【００１６】
さらにまた、双胴船の両側の船体の船尾部のトリムタブを空洞状態に形成したことによって、双胴船の船尾部のトリムタブの浮力を高めて船尾部を浮上させ、双胴船の高速化、燃費の向上をはかることができる。
【図面の簡単な説明】
【００１７】
【図１】本発明の双胴船の一実施例の一部省略した概略側面図、
【図２】同上の概略平面図、
【図３】同上のやや拡大した概略正面図、
【図４】同上の水中翼部の説明用側面図、
【図５】同上の船尾部のやや拡大した概略側面図、
【図６】同上の水中翼の仰角と走行抵抗との関係図、
【図７】同上の水中翼、トリムタブの制御ブロック図、
【図８】同上の波長に対する水中翼の固定、翼制御、翼なし状態のピッチング角度説明図、
【図９】同上のトリムタブ制御によるローリング揺動制御特性図、
【図１０】同上のトリムタブのトリム角度と速力の実験関係図。
【発明を実施するための形態】
【００１８】
本発明の抵抗低減、安定性向上の双胴船の減揺走航方法およびその双胴船は、双胴船の両側の船体間に水中翼の支持軸を連結して架設して水中翼を所要の傾斜角度に傾転可能に配設するとともに、双胴船の両側の船体の船尾部にトリムタブを配設してそれぞれ所要のトリム角度に傾転自在に形成し、双胴船にジャイロセンサを配設してジャイロセンサの姿勢制御装置の出力をピッチング角速度ω１とし、この数値積分をピッチング角θ１とし、水中翼の制御角度Ｐ(t) として、Ｐ(t)=Ａ・θ１(t) ＋Ｂ・ω１(t) ＋Ｃ  として減揺制御し、ローリング角速度ω２とし、この数値積分をローリング角θ２とし、トリムタブの制御角度Ｔ(t) として、Ｔ(t)=Ｄ・θ２(t) ＋Ｅ・ω２(t) ＋Ｆ  として減揺制御して、ここに、Ａ〜Ｆは定数で、モデル実験、実機の航行時の測定、荒天時での測定を行なって定め、Ｃ、Ｆは走航中の航体トリムを定める値で、静水時の実験での走航抵抗によりトリム角を定めるもので、高速、減揺走航するようにしたことを特徴としている。
【００１９】
高速走航の双胴船１は、主としてアルミニウム合金による軽量材で、図１〜図３のように船本体２として左右対称状に船体３を設けていて、このクロスデッキ下の両側の船体３間のトンネル状部に船首部４側から船尾部５側に水流をスクリュー６を介して送給して走航するようにしている。
【００２０】
特に、双胴船１の中心部または重心部より前方部の船体３間に、水中翼７を船体３の底部８分を膨出状態としたキール９間に軸支して水中翼７によるモーメントに作用を大きくしているとともに、水没状態の水中翼７の上端部側を油圧駆動によるリンク機構の水中翼傾転装置１０を介して図４のように−１０〜＋１０度の所要の角度にわたって傾転可能として、水中翼７でより有効にピッチング制御できるようにしている。また、水中翼７の軸部で船体３の底部８のキール９間を結合状態として、水中翼７およびそのストラットが船体３横断面のおいて船体強度を増加させ、船体３のねじれを抑え、船体３のクラックの発生を低減するようにできる。
【００２１】
そして、図１、図２のように上記双胴船１の両側の船体３の船尾部５にそれらの全幅にわたってそれぞれトリムタブ１１を対称状に配設し、図５のようにこのトリムタブ１１を油圧駆動のトリムタブ傾転装置１２でそれぞれ−５〜２０度、好ましくは４〜９度の俯角（下向）状態に傾転制御してローリング制御して減揺するようにしている。
【００２２】
上記トリムタブ１１は、アルミニウム合金の所定厚の板材を溶接した、船尾部５の重量に対応した所要容量の空洞状態の薄箱状とし、そのトリムタブ１１を船尾部５の揺動軸部１３に軸着して、トリムタブ１１を水平に転倒したときにその下面が船尾部５の船底１４と同一面上となるように設置して、トリムタブ１１による走航時の流体抵抗をできるだけ軽減するとともに船尾部５の浮力を増加させるようにしている。そのため、双胴船１の低速時のトリム抑制、ローリング減揺がはかれ、かつ走航抵抗を少なくして高速化をはかることができる。停船時や低速時に船尾部５の浮力を増加できて、安全性を高められる。
【００２３】
そして、特にトリムタブ１１を４〜９度の下方側に傾転した俯角状態に設定することで、船体３の走航抵抗の低減をはかり、燃料消費の増加を招くことなく高速走航することを可能にしている。
【００２４】
また、船本体２の中心部または重心部、若しくは適宜の場所に船体制御部１５のジャイロセンサや傾斜センサ、加速度センサ等の姿勢制御装置１６を設置し、図６のように操作パネル１７の操作によってＣＰＵ１８を作動し、ディスプレイ１９に表示するとともに、インバータ等の減揺装置２０を介して油圧ポンプ２１を駆動制御し、コントローラ・比例制御弁やサーボ弁等の制御器２２で上記水中翼傾転装置１０の油圧シリンダーの揺動駆動装置２３を駆動制御するとともに水中翼７の傾転角度を水中翼センサーで検出し、また同様に左右舷のトリムタブ１１についてもインバータ等の減揺装置２４を介して油圧ポンプ２５を駆動制御し、コントローラ・比例制御弁やサーボ弁等の制御器２６で上記トリムタブ傾転装置１２の油圧シリンダーの揺動駆動装置２７を駆動制御するとともに左右舷のトリムタブ１１の傾転角度をトリムタブセンサーで検出し、そしてこれらの出力値を船体制御部１５にフィードバックし、サーボモータを介してPID制御、ファジー制御、ロバスト制御等による多次元制御をして、水中翼７、船尾部５のトリムタブ１１を所要の角度に駆動制御をしてピッチング、ローリングを抑制制御するようにしている。
【００２５】
たとえば、走航時、向い波の場合は船首を下げ、追い波の場合は船首を上げ、さらに波が高い場合は加速度センサ等の姿勢制御装置１６にもとづいて水中翼７の傾転角度を高めに設定するなどとし、波高や向い波、追い波等の波の状態に応じて、走航抵抗が最小になるように姿勢制御装置１６を介して船尾部５のトリムタブ１１を揺動制御し、このように多次元制御して走航抵抗が最小になるように前方の水中翼７と船尾部５の両側のトリムタブ１１をバランスよく配設して、ピッチング、ローリングの減揺制御して航行するようにできる。
【００２６】
上記双胴船１について、実験モデルで、ジャイロセンサの姿勢制御装置１６の出力をピッチング角速度ω１とし、この数値積分をピッチング角θ１とし、水中翼７の制御角度Ｐ(t) として、Ｐ(t)=Ａ・θ１(t) ＋Ｂ・ω１(t) ＋Ｃ  として減揺制御でき、またローリング角速度ω２とし、この数値積分をローリング角θ２とし、トリムタブ１１の制御角度Ｔ(t) として、Ｔ(t)=Ｄ・θ２(t) ＋Ｅ・ω２(t) ＋Ｆ  として減揺制御できる。
ここに、Ａ〜Ｆは定数で、モデル実験、実機の航行時の測定、荒天時での測定などの試験を行なって定め、Ｃ、Ｆは走航中の航体トリムを定める値で、静水時の実験での走航抵抗が最中になるトリム角を定めておくものである。
【００２７】
各種の波の状態で制御パラメータを設定して、これらのパラメータにもとづいてＣＰＵ１８でジャイロセンサの姿勢制御装置１６のデータから瞬時に判断して所要のパラメータに切り換えて、走航抵抗が最小になるようにジャイロセンサの姿勢制御装置１６を介して揺動制御して双胴船１を所要の減揺航行を行なうようにできる。なお、上記した本発明の趣旨にもとづいて、Ｐ(t)=Ｆ（θ１(t) 、ω１(t) ）、Ｔ(t)=Ｆ（θ２(t) 、ω２(t) ）等としてファジー制御、ロバスト制御等の制御方法でも実施することができる。
【実施例】
【００２８】
図１以下は、本発明の一実施例を示すものである。双胴船１は、主としてアルミニウム合金で、図１〜図３のように船本体２として左右対称状に船体３を設け、このクロスデッキ下の両側の船体３間のトンネル状部に船首部４側から船尾部５側にわたってスクリュー６で水流を押し出して高速走航するようにしている。
【００２９】
そして、この双胴船１の重心部より前方部の船体３間に、図１〜図３のように水中翼７を船体３のキール９間に軸支し、上記したように水中翼７を油圧駆動によるリンク機構の水中翼傾転装置１０を介して−１０〜＋１０度の所定の角度にわたって傾転可能としてピッチング制御するようにしている。
【００３０】
また、図１、図２、図５のように上記双胴船１の両側の船体３の船尾部５にそれらの全幅にわたってそれぞれトリムタブ１１を左右対称状に配設し、上記したようにトリムタブ１１を油圧駆動のトリムタブ傾転装置１２でそれぞれ−５〜２０度のトリム角度に傾転制御してローリング減揺するようにしている。上記トリムタブ１１は、アルミニウム合金の板材を溶接して所要容量の空洞状態の薄箱として、船尾部５に揺動軸部１３を介して軸着し、トリムタブ１１を水平に転倒したときにその下面が船尾部５の船底１４の同一面上となるように設置し、特にトリムタブ１１を４〜９度の下方側に傾転した俯角状態として、双胴船１の船体３の船尾部５側の浮力、揚力を増大するようにして走航するようにしている。
【００３１】
図７は模型実験による水中翼７の仰角０〜１１度に対する走航抵抗の関係を示し、図８も模型実験の結果で、波長３〜６ｍに対するピッチング角度の関係を示し、仰角２〜４度、ピッチング角度２度位で走航抵抗を減少できるものである。
【００３２】
図９はトリムタブ１１を制御ＯＮ、ＯＦＦした場合のローリング角度の関係を示したもので、トリムタブ１１を減揺制御して走航抵抗を減少できて、ローリング角度を軽減でき、図１０のようにトリムタブ１１をローリング制御することによってローリングを著しく減少できて、走行速度を高められる。
【００３３】
図１０は、１１８トンの双胴船１について、出力を一定としてトリムタブ１１を−１〜９度で速力を計測したものである。トリム角度−１〜２度では速力が２４．３ノット程度で走航抵抗が大きいことを示している。一方、トリム角度が８度付近では速力が２５．７ノット程度に向上しており、走航抵抗の減少が極めて明らかである。これは、トリムタブ１１の揚力によって船体３の走航姿勢が最適状態となり、抵抗の減少によって速度が増加したものと考えられる。通常、速度の増加にはエンジン出力の増加が不可欠で、燃料経済性に著しい悪影響が出てくるが、本実験ではエンジン出力一定で測定が行なわれており、抵抗の減少のみによって速度増加が得られたものである。言い換えれば、必要な速度が一定の場合には、抵抗の減少によってエンジン出力を下げることが可能で、燃料経済性の大きな効果が期待される。
【００３４】
このように本発明の双胴船１は、前方の船首部４の水中翼７を所定の傾斜角度として、従来と比較してほぼ１０〜２０％の高速化がピッチング制御とともに可能になり、また船尾部５の両側に左右対称状に配設したトリムタブ１１による浮力、揚力の向上および、トリム角度の傾転制御のローリング制御で、船体３の走航トリムを抵抗が少ない状態に制御でき、走航抵抗を減少できて、乗り心地のよい燃費を向上できる高速の双胴船を実現することができるものである。
【産業上の利用可能性】
【００３５】
本発明は、旅客船、漁船、観光船等の船舶分野における双胴船に利用できるものである。
【符号の説明】
【００３６】
１…双胴船      ３…船体    ５…船尾部      ７…水中翼      １１…トリムタブ
【図１】
0006752002.tif 000002
【図２】
0006752002.tif 000003
【図３】
0006752002.tif 000004
【図４】
0006752002.tif 000005
【図５】
0006752002.tif 000006
【図６】
0006752002.tif 000007
【図７】
0006752002.tif 000008
【図８】
0006752002.tif 000009
【図９】
0006752002.tif 000010
【図１０】
0006752002.tif 000011